(57)【要約】【課題】画像表示ユニットの表示面に光が漏入することなくタッチパネルのサイン部を発光させる表示装置を提供する。【解決手段】光を透過する表示板(2)と、表示板(2)の後面(2d)側が固定された棚部(1e)を有するフロントパネル(1)と、表示板(2)の後方側に棚部(1e)を挟んで並設された画像表示ユニット(7)と、画像表示ユニット(7)の側方外側に配置された発光素子(6a)と、発光素子(6a)から出射された光(Lt)を表示板(2)の後面(2d)に誘導する導光部材(5)と、棚部(1e)の後面(1e2)と画像表示ユニット(7)の画像表示面(7b)との間に圧縮されて密着介在するクッション(4)と、を備えた。【選択図】図８
2019184639.tif 000002
【特許請求の範囲】
【請求項１】
光を透過する表示板と、
前記表示板の後面側が固定された棚部を有するフロントパネルと、
前記表示板の後方側に前記棚部を挟んで並設された画像表示ユニットと、
前記画像表示ユニットの側方外側に配置された発光素子と、
前記発光素子から出射された光を前記表示板の後面に誘導する導光部材と、
前記棚部の後面と前記画像表示ユニットの画像表示面との間に圧縮されて密着介在するクッションと、
を備えた表示装置。
【請求項２】
前記表示板は、タッチパネルであることを特徴とする請求項１記載の表示装置。
【請求項３】
前記表示板は、前記導光部材によって誘導された前記光の照射によって発光する抜きとして形成されたサインを有することを特徴とする請求項１又は請求項２記載の表示装置。
【発明の詳細な説明】
【技術分野】
【０００１】
本発明は、表示装置に係る。
【背景技術】
【０００２】
画像表示ユニットの画像表示面の前方にタッチパネルなどの表示板が配置され、その表示板に抜き文字の光透過部として形成した文字やアイコンなどのサイン部を発光させる表示装置が知られている。
そして、サイン部を発光させる照明構造として、画像表示面よりも後方に位置した発光素子から出射された光を、表示板の後面に誘導してサイン部を後方から照射する構造が特許文献１に記載されている。
【先行技術文献】
【特許文献】
【０００３】
【特許文献１】特開２００２−３５１３５８号公報
【発明の概要】
【発明が解決しようとする課題】
【０００４】
特許文献１に記載された照明構造では、発光素子から誘導された光が画像表示ユニットの画像表示面に漏入し、表示された画像のコントラストが低下したり表示むらが生じるなど、画質に影響を及ぼす虞があり、改善が期待されていた。
【０００５】
そこで、本発明の課題は、画像表示ユニットの表示面に光が漏入することなくタッチパネルのサイン部を発光させる表示装置を提供することにある。
【課題を解決するための手段】
【０００６】
上記の課題を解決するために、本発明は次の１）の構成を有する。
１）  光を透過する表示板と、
前記表示板の後面側が固定された棚部を有するフロントパネルと、
前記表示板の後方側に前記棚部を挟んで並設された画像表示ユニットと、
前記画像表示ユニットの側方外側に配置された発光素子と、
前記発光素子から出射された光を前記表示板の後面に誘導する導光部材と、
前記棚部の後面と前記画像表示ユニットの画像表示面との間に圧縮されて密着介在するクッションと、
を備えた表示装置である。
【発明の効果】
【０００７】
本発明によれば、画像表示ユニットの表示面に光が漏入することなくタッチパネルのサイン部を発光させることができる、という効果が得られる。
【図面の簡単な説明】
【０００８】
【図１】図１は、本発明の実施の形態に係る表示装置の実施例であるカーナビゲーション装置５１の正面図である。
【図２】図２は、カーナビゲーション装置５１が備えるタッチパネル２の、図１におけるＡ部に対応した部分を示す部分正面図である。
【図３】図３は、タッチパネル２を、カーナビゲーション装置５１のフロントパネル１に貼着するための両面テープの、Ａ部に対応した部分を示す部分正面図である。
【図４】図４は、フロントパネル１のＡ部に対応した部分を示す部分正面図である。
【図５】図５は、フロントパネル１の溝１ｄに取り付けられるクッションのＡ部に対応した部分を示す部分正面図である。
【図６】図６は、カーナビゲーション装置５１が備える導光部材５のＡ部に対応した部分を示す部分正面図である。
【図７】図７は、導光部材５が導光する光を出射するＬＥＤ６ａを実装した基板６のＡ部に対応した部分を示す部分正面図である。
【図８】カーナビゲーション装置５１の、図１におけるＳ８−Ｓ８位置での断面図である。
【発明を実施するための形態】
【０００９】
本発明の実施の形態に係る表示装置を、実施例のカーナビゲーション装置５１（以下、単にカーナビ５１と称する）を説明する。
【００１０】
（実施例）
図１は、カーナビ５１の正面図であり、図２〜図７は、図１におけるＡ部を構成する部材それぞれの部分平面図(正面図)であり、図８は図１におけるＳ８−Ｓ８位置での断面図である。以下の説明において、前後左右上下の各方向は、図１及び図８に矢印で示される。これらの方向は、カーナビ５１の使用姿勢や構成を規制するものではない。
【００１１】
図１及び図８に示されるように、カーナビ５１は、枠状のフロントパネル１と、タッチパネル２と、タッチパネル２に並設された画像表示ユニット７と、を有する。また、カーナビ５１は、ブラケット８及びバックカバー９を有する。
【００１２】
フロントパネル１は、周縁に突出枠１ａを有し、突出枠１ａの内側には、内方に突出する棚部１ｅが形成されている。
すなわち、棚部１ｅは、突出枠１ａの４辺から内側に突出形成されており、４辺の内の下側の辺から内側（上方）に突出した部分には、左右方向に離隔して複数の窓部１ｃが形成されている。
棚部１ｅの前面１ｅ１には、タッチパネル２の後面２ｄが両面テープ３で貼着されている。また、タッチパネル２の後方には、画像表示ユニット７が配置されている。
ブラケット８は画像表示ユニット７の後面に当てられ、バックカバー９はブラケット８の後ろ側に配置されている。
そして、フロントパネル１とバックカバー９とを不図示のねじなどにより組み合わせて一体化することで、両部材間に画像表示ユニット７が挟持される。
【００１３】
タッチパネル２は、前面に保護フィルム２ｆが貼着されており、使用者から見て画像やサイン２ｃ１が表示される表示板として機能する。
また、タッチパネル２の後面２ｄの四辺の縁部に、厚さ方向に光を不透過とする黒色の塗装膜であるマスク部２ｂが枠状に形成されている。マスク部２ｂで囲まれた矩形範囲が、画像表示ユニット７の画像表示面７ｂに対応して画像が視認される表示部２ａである。
マスク部２ｂには、図１及び図２に示されるように、タッチパネル２の下辺に沿って複数の記号やアイコンが抜き文字のサイン２ｃ１として形成されている。
それぞれのサイン２ｃ１は、光透過性を有する抜き印刷の部分である。また、複数のサイン２ｃ１が形成された範囲を、以下、サイン部２ｃと称する。図８では、マスク部２ｂにおいて、サイン部２ｃを便宜的に範囲として示してある。
【００１４】
フロントパネル１は、樹脂によって矩形枠状に形成されている。
フロントパネル１の前面側の周縁には、既述のように、突出枠１ａが前方に突出形成され、その内側に棚部１ｅが内方に張り出すように形成されている。
棚部１ｅは、タッチパネル２のマスク部２ｂに対応して、四辺の内の下辺に沿う部分の内側への突出量が多く、幅広に形成されている。
また、棚部１ｅには、取り付けられたタッチパネル２のサイン２ｃ１それぞれに対向した範囲に、矩形の貫通孔である前出の窓部１ｃが形成されている。
フロントパネル１の窓部１ｃにおける外側（下側）の端面は、後方側の開口が広くなるように下方に傾斜した傾斜端面１ｃ１とされている。
【００１５】
両面テープ３は、光を通さない材質のものを用いる。
図３及び図８に示されるように、複数のサイン２ｃ１それぞれに対応した範囲に、矩形の開口部３ａが形成された四角枠状に形成され、一面側がタッチパネル２の周縁部に貼り付けられ、他面側が棚部１ｅの前面１ｅ１に貼り付けられることでタッチパネル２をフロントパネル１に固定している。
【００１６】
フロントパネル１の棚部１ｅの後面１ｅ２において、窓部１ｃよりも上方側の部分には、左右方向に延びる溝部１ｄが設けられている。溝部１ｄの横断面形状は、例えば矩形とされる。
【００１７】
溝部１ｄには、図５及び図８に示されるようにクッション４が貼り付けられている。クッション４は、光を通さず、厚さ方向に弾性を有する発泡スポンジである。
クッション４の厚み（前後方向長さ）は、溝部１ｄの深さよりも大きくなっている。従って、クッション４を溝部１ｄに貼り付けた自然状態で、クッション４は、棚部１ｅの後面１ｅ２から突出している。
【００１８】
画像表示ユニット７は、液晶或いは有機ＥＬ（有機エレクトロルミネッセンス）などの表示素子を有し、外部から入来した画像信号に基づく画像を前面の画像表示面７ｂに表示する。画像表示面７ｂは、図８における表示部２ａに対応した範囲である。
画像表示ユニット７の前側の周縁部には、フレーム７ａが取り付けられている。
画像表示ユニット７の下端位置は、図８に示されるように、フロントパネル１の棚部１ｅにおける窓部１ｃの上下方向中央付近にある。
【００１９】
図８に示されるように、画像表示ユニット７の下端と、フロントパネル１の下側の枠との間には、左右方向に基板６が配置されブラケット８に取り付けられている。
図８及び図９に示されるように、基板６において、複数のサイン２ｃ１それぞれに対応した位置には、発光素子（例えばＬＥＤ）６ａが実装されている。
発光素子６ａは、基板６の表面に直交し前方に向かう光軸を有する光Ｌｔを出射する。
【００２０】
バックカバー９とフロントパネル１とを前後方向に組み合わせて、ねじなどで締め付け固定すると、ブラケット８を介して画像表示ユニット７が挟持される。その際、画像表示ユニット７の画像表示面７ｂがクッション４を押し潰す。
これにより、溝部１ｄの中に収められたクッション４は、画像表示ユニット７の画像表示面７ｂに隙間なく密着した状態となる。
【００２１】
図８に示されるように、基板６の前面側には、導光部材５が取り付けられている。導光部材５は、アクリル樹脂などにより形成され光透過性を有する。
図６及び図８に示されるように、導光部材５は、基板６に面当てされる根本部５ｂと、複数の発光素子６ａそれぞれに対応した部分において前方に突出する複数の基部５ａと、各基部５ａの先端から前上方に傾斜して延びる傾斜誘導部５ｄと、を有する。
【００２２】
根本部５ｂは、発光素子６ａが進入するポケット部５ｃを有する。ポケット部５ｃの天面５ｃ１は、発光素子６ａと対向し基板６と平行な面とされ、発光素子６ａからの光Ｌｔを全入射する入射面となっている。
図８に示されるように、ポケット部５ｃの天面５ｃ１から導光部材５の内部に入射した光Ｌｔは、基部５ａ内を進み、傾斜誘導部５ｄの４５°に傾斜した傾斜外面５ｄ１でほぼ全反射して上方に向かい、さらに傾斜内面５ｄ２で前方に向けほぼ全反射して前端面５ｄ３から外部前方に出射する。
【００２３】
導光部材５の前端面５ｄ３は、タッチパネル２の後面２ｄのマスク部２ｂに対し、平行で当接又は近接配置されている。
そのため、前端面５ｄ３から前方に出射した光Ｌｔは、マスク部２ｂを後方側から照明するので、光透過性を有する抜きの部分である各サイン２ｃ１は、前方側から見て発光状態で視認される。
【００２４】
導光部材５の前端面５ｄ３は、画像表示ユニット７の下端位置よりも上方に延びている。
そのため、タッチパネル２の表示部２ａにおける下部側の画像非表示領域にサイン部２ｃを設けることができる。
これにより、カーナビ５１の外形が例えばＤＩＮサイズで決まっている場合において、サイン部２ｃの範囲をより大きくすることができる。
【００２５】
導光部材５に進入した光Ｌｔは、その内部を進み、外部へはほとんど漏出しない。仮に、前端面５ｄ３から出射した光Ｌｔの乱反射なども含め、光Ｌｔの一部が画像表示ユニット７の表示エリアである画像表示面７ｂ側に向かった場合でも、タッチパネル２のマスク部２ｂと棚部１ｅとの間に密着した両面テープ３及び棚部１ｅと画像表示ユニット７とに圧縮密着したクッション４を通過できない。
すなわち、発光素子６ａから出射した光Ｌｔの導光部材５側から画像表示面７ｂ側への漏入が阻止される。
これにより、発光素子６ａからの光Ｌｔは、表示部２ａにおいて視認される画像表示ユニット７の表示画像の画質に何ら影響を及ぼすことなくサイン２ｃ１を発光させることができる。
【００２６】
窓部１ｃは、導光部材５を真後ろに移動させても、導光部材５の傾斜誘導部５ｄの先端が引っ掛からない大きさで開口している。
この構造も含め、カーナビ５１は、バックカバー９を取り外すことで、画像表示ユニット７、基板６、導光部材５を全て後方側へ取り外すことができる。
従って、組み立て作業はもとよりメンテナンス作業や部品の交換作業などが容易である。
【００２７】
以上、詳述したように、カーナビ５１は、棚部１ｅと画像表示ユニット７との間に圧縮されたクッション４を圧縮して密着介在させている。これにより、サイン部２ｃを照明する光が画像表示面７ｂに漏入しない。そのため、サイン部２ｃの照明光が、画像表示ユニット７に表示された画像の画質に影響を及ぼすことはない。
【００２８】
以上詳述した実施例は、上述の構成に限定されるものではなく、本発明の要旨を逸脱しない範囲において変形してもよい。
【００２９】
画像表示ユニット７の画像表示面７ｂの前面に配置されるタッチパネル２は、タッチパネルであることに限定されず、単なる保護パネルやその他の光透過性の板状部材であってもよい。
表示装置は上述のカーナビゲーション装置に限定されるものではなく、画像表示ユニットを備える種々の表示装置に適用できる。
【符号の説明】
【００３０】
１  フロントパネル
１ａ  突出枠、    １ｃ  窓部、    １ｃ１  傾斜端面、    １ｄ  溝部
１ｅ  棚部、    １ｅ１  前面、    １ｅ２  後面
２  タッチパネル
２ａ  表示部、    ２ｂ  マスク部、    ２ｃ  サイン部
２ｃ１  サイン、    ２ｄ  後面、    ２ｆ  保護フィルム
３  両面テープ、    ３ａ  開口部
４  クッション
５  導光部材
５ａ  基部、    ５ｂ  根本部、    ５ｃ  ポケット部
５ｃ１  天面（入射面）、    ５ｄ  傾斜誘導部、    ５ｄ１  傾斜外面
５ｄ２  傾斜内面、    ５ｄ３  前端面
６  基板、    ６ａ  発光素子（ＬＥＤ）
７  画像表示ユニット、    ７ａ  フレーム、    ７ｂ  画像表示面
８  ブラケット
９  バックカバー
５１  カーナビ（カーナビゲーション装置）（表示装置）
Ｌｔ  光
【図１】
2019184639.tif 000003
【図２】
2019184639.tif 000004
【図３】
2019184639.tif 000005
【図４】
2019184639.tif 000006
【図５】
2019184639.tif 000007
【図６】
2019184639.tif 000008
【図７】
2019184639.tif 000009
【図８】
2019184639.tif 000010